(57)【要約】【課題】長期使用が可能であり、杖がずり落ちることなく容易に置くことができ、美観を損なわない杖ホルダーを提供すること。  【解決手段】全体が金属材料で構成されており、杖９の下端部が挿入される受け部１を有すると共に床面に載せ置かれるベース部２と、前記ベース部２から立ち上がる立設部３と、前記立設部３に設けられ且つ杖９の高さ方向中程部よりも上部分を支持する掛け部４とを具え、前記受け部１と掛け部４を平面視で位置ズレさせてある。【選択図】  図１
0003136979.tif 000002
【実用新案登録請求の範囲】
【請求項１】
全体が金属材料で構成されており、杖の下端部が挿入される受け部を有すると共に床面に載せ置かれるベース部と、前記ベース部から立ち上がる立設部と、前記立設部に設けられ且つ杖の高さ方向中程部よりも上部分を支持する掛け部とを具え、前記受け部と掛け部を平面視で位置ズレさせてあることを特徴とする杖ホルダー。
【請求項２】
金属材料は鋼材であり、受け部以外は全て丸棒で形成されていることを特徴とする請求項1記載の杖ホルダー。
【請求項３】
受け部は、窪みを持った皿形状であることを特徴とする請求項1又は２記載の杖ホルダー。
【請求項４】
掛け部は、欠円形状又は半円形状であることを特徴とする請求項１乃至３のいずれかに記載の杖ホルダー。
【請求項５】
ベース部により自立可能であることを特徴とする請求項１乃至４のいずれかに記載の杖ホルダー。
【請求項６】
掛け部の高さが、４５０ｍｍ〜５２０ｍｍであることを特徴とする請求項１乃至５のいずれかに記載の杖ホルダー。
【請求項７】
請求項１乃至６のいずれかに記載の杖ホルダーを、二つ併設すると共に相互を連結一体化してなることを特徴とする杖ホルダー。
【考案の詳細な説明】
【技術分野】
【０００１】
この考案は、高齢者や病人が椅子等に着座する際に置いておけるようにした杖ホルダーに関するものである。
【背景技術】
【０００２】
例えば、足腰の弱い高齢者や病人(以下、高齢者等という)が一人で歩行する場合、杖の助けを必要とすることが多い。かかる杖は老人や病人が椅子等に着座後は邪魔になるので、杖のグリップをテーブルの天板や背もたれ等に引っ掛けたり、杖を椅子の座面側方に立て掛けたりする。
【０００３】
しかしながら、上記方法では、椅子を動かす等の軽い衝撃で杖がずり落ちてしまう。このような事態が生じた場合、高齢者等が身体を曲げて拾い上げるのは非常に厄介である。
【０００４】
このような問題を解決するため、例えば、以下に示すような杖ホルダーが提案されている。
【０００５】
この杖ホルダーは、杖の下部を挿入する上面開放の筒体に面ファスナーを取り付けて成るものであり、使用するときには筒体に設けた面ファスナーを椅子の脚部に巻き付けるようにして筒体を固定する。したがって、杖の下域を筒体に挿入すれば、椅子を動かす等の衝撃があったとしてもずり落ちるようなことがない。
【０００６】
しかしながら、上記提案された杖ホルダーであっても、高齢者にとっては低い位置での作業であるが故に重量動である。
【０００７】
そこで、レストラン等の店では、高齢化が進む中サービスの一環として、杖ホルダーを店内に設置することを考えており、低コストで、杖がずり落ちることなく容易に置くことができ、美観を損なわない杖ホルダーの開発を模索している。
【考案の開示】
【考案が解決しようとする課題】
【０００８】
そこでこの考案は、長期使用が可能であり、杖がずり落ちることなく容易に置くことができ、美観を損なわない杖ホルダーを提供することを課題とする。
【課題を解決するための手段】
【０００９】
（請求項１記載の考案）
この考案の付けホルダーは、全体が金属材料で構成されており、杖の下端部が挿入される受け部を有すると共に床面に載せ置かれるベース部と、前記ベース部から立ち上がる立設部と、前記立設部に設けられ且つ杖の高さ方向中程部よりも上部分を支持する掛け部とを具え、前記受け部と掛け部を平面視で位置ズレさせてある。
（請求項２記載の考案）
この考案の付けホルダーは、上記請求項１記載の考案に関し、金属材料は鋼材であり、受け部以外は全て丸棒で形成されているものとしている。
（請求項３記載の考案）
この考案の付けホルダーは、上記請求項１又は２記載の考案に関し、受け部は、窪みを持った皿形状であるものとしている。
（請求項４記載の考案）
この考案の付けホルダーは、上記請求項１乃至３のいずれかに記載の考案に関し、掛け部は、欠円形状又は半円形状であるものとしている。
（請求項５記載の考案）
この考案の付けホルダーは、上記請求項１乃至４のいずれかに記載の考案に関し、ベース部により自立可能であるものとしている。
（請求項６記載の考案）
この考案の付けホルダーは、上記請求項１乃至５のいずれかに記載の考案に関し、掛け部の高さが、４５０ｍｍ〜５２０ｍｍであるものとしている。
（請求項７記載の考案）
この考案は、上記請求項１乃至６のいずれかに記載の杖ホルダーを、二つ併設すると共に相互を連結一体化してなるものとしている。
【考案の効果】
【００１０】
この考案は上述のような構成であり、次の効果を有する。
【００１１】
この考案の杖ホルダーによると、長期使用が可能であり、杖がずり落ちることなく容易に杖を置くことができ、美観を損なわない。
【考案を実施するための最良の形態】
【００１２】
以下、この考案の実施の形態を、図面を参照して説明する。
【実施例１】
【００１３】
図１はこの考案の実施例１の杖ホルダーＨの側面図、図２は前記杖ホルダーＨの平面図を示している。
【００１４】
（この杖ホルダーＨの構成について）
この杖ホルダーＨは、全体が金属材料(例えば鋼材)で構成されており、図１や図２に示すように、杖９の下端部が挿入される受け部１を有すると共に床面に載せ置かれるベース部２と、前記ベース部２から立ち上がる立設部３と、前記立設部３に設けられ且つ杖９の高さ方向中程部よりも上部分を支持する掛け部４とを具え、前記受け部１と掛け部４を平面視で位置ズレさせている。なお、この杖ホルダーＨは、ベース部がひし形形状に張り出す形状とし、これにより自立可能である。
【００１５】
ここで、この杖ホルダーＨでは、図１や図２に示すように、受け部１は窪みを持った皿形状に形成されており、受け部１以外の部分は全て丸棒で形成されている。
【００１６】
また、掛け部４は、図２に示すように、図欠円形状（Ｃ型又は半円）とすると共に、その正面方向に開口部を設けたものとし、これにより、杖ホルダーＨに対する杖９の挿脱が容易に行えるようになっている。
続いて、上記掛け部４の高さは、４５０ｍｍ〜５２０ｍｍに設定してある。
【００１７】
（この杖ホルダーＨの優れた効果について）
「長期使用が可能であること」
全体が金属製で形成されているから、丈夫である。また、再塗装をすることにより新しい状態に復帰できる。
【００１８】
つまり、この杖ホルダーＨを採用した場合、長期使用が可能である。
【００１９】
「杖９がずり落ちることなく容易に杖を置くことができること」
杖９の下端部は受け部１に挿入されているから、杖９がずり落ちる可能性は無いといえる。
【００２０】
なお、上述した如く、掛け部４は図欠円形状（Ｃ型）とすると共にその正面方向に開口部を設けたものとしてあるから、杖ホルダーＨに対する杖９の挿脱が容易に行える。
【００２１】
「美観を損なわないこと」
この杖ホルダーＨは、非常にシンプルな構成であり、また、ベース部２もそれほど大きくない。
【００２２】
したがって、この杖ホルダーＨでは、使用場所がホテルやレストランであっても美観を損なう可能性は少ない。
【００２３】
（その他の優れた点）
高齢化社会では多くの人が杖を使用することとなるが、ホテルやレストラン等において杖の置き場所に困ることが考えられる。しかしながら、この杖ホルダーＨを採用しているホテルやレストラン等では、高齢者は安心して利用できるので、利用客の増加を望めることになる。
【００２４】
（この実施例１に類似する杖ホルダーＨについて）
図３や図４に示す杖ホルダーＨと実施例１と相違するところは、ベース部２が円形状に形成され、受け部１が前記ベース部２内に位置していることである。
【００２５】
なお、上記杖ホルダーＨを補強するために丸棒を追加すること、またデザイン的に優れたものとするため丸棒を湾曲させて使用するようにしてもよい。
【実施例２】
【００２６】
図５はこの考案の実施例２の杖ホルダーＨの側面図、図６は前記杖ホルダーＨの平面図を示している。
【００２７】
（この杖ホルダーＨの構成について）
この杖ホルダーＨは、全体が金属材料(例えば鋼材)で構成されており、図５や図６に示すように、杖９の下端部が挿入される受け部１を有すると共に床面に載せ置かれるベース部２と、前記ベース部２から立ち上がる立設部３と、前記立設部３に設けられ且つ杖９の高さ方向中程部よりも上部分を支持する掛け部４とを具え、前記受け部１と掛け部４を平面視で位置ズレさせている。この基本的な構成についてはこの実施２においても同様である。
【００２８】
実施例１と相違するのは、図６に示すように、前記杖ホルダーを、二つ併設すると共に相互を連結棒５で一体化し、二本の杖９を置くことができるようになっている点である。そして、この実施例２のものは、平面的に一体化された受け部１、ベース部２、立設部３及び掛け部４を、連結棒５で繋ぐだけで自立したものにでき、よって非常に簡易に製造することができる。
【００２９】
なお、夫婦で共に杖９を使用している場合、この杖ホルダーＨを二人で使用できるという一体感を持つことができる。
【図面の簡単な説明】
【００３０】
【図１】実施例１の杖ホルダーの側面図。
【図２】実施例１の杖ホルダーの平面図。
【図３】実施例２の杖ホルダーの側面図。
【図４】実施例２の杖ホルダーの平面図。
【図５】実施例３の杖ホルダーの側面図。
【図６】実施例３の杖ホルダーの平面図。
【符号の説明】
【００３１】
Ｈ      杖ホルダー
１      受け部
２      ベース部
３      立設部
４      掛け部
５      連結棒
９      杖
【図１】
0003136979.tif 000003
【図２】
0003136979.tif 000004
【図３】
0003136979.tif 000005
【図４】
0003136979.tif 000006
【図５】
0003136979.tif 000007
【図６】
0003136979.tif 000008